(57)【特許請求の範囲】
【請求項１】
一方の通信回線の各通信線が接続されているラッピング用の第１端子が設けられている端子板と、他方の通信回線の各通信線が接続されているラッピング用の第１端子が設けられている端子板とを備える配線盤に対して用いられる通信用回線接続装置であって、
一方の前記端子板の第１端子に対して着脱可能に接続される第２端子が各通信線に設けられている第１接続線と、
他方の前記端子板の第１端子に対して着脱可能に接続される第２端子が各通信線に設けられている第２接続線と、
前記第１接続線の各通信線と前記第２接続線の各通信線とを接続する接続路をそれぞれ備える装置本体と、
を備え、
前記装置本体は、
音信号を含む第１信号を流す通信線の接続路に設けられると共にこの第１信号を減衰する減衰器と、
この減衰器が設けられている接続路に設けられ、前記第１信号のレベル測定用の測定器を接続可能にするリンク部と、
を備える、
ことを特徴とする通信用回線接続装置。
【請求項２】
前記リンク部は、前記減衰器が設けられている前記接続路に対して着脱可能に設けられ、この着脱によりこの接続路を導通および非導通のどちらか一方の状態にする、
ことを特徴とする請求項１に記載の通信用回線接続装置。
【請求項３】
前記装置本体は、
呼出し信号を含む第２信号を流す通信線の接続路に対して着脱可能に設けられ、この着脱によりこの接続路を導通および非導通のどちらか一方の状態にするテストプラグ部を、
備えることを特徴とする請求項１または２に記載の通信用回線接続装置。
【請求項４】
前記装置本体は、前記第１接続線を収納して第１接続線の露出する長さを調節するための第１収納部と、前記第２接続線を収納して第２接続線の露出する長さを調節するための第２収納部との少なくとも一方を備える、
ことを特徴とする請求項１〜３のいずれか１項に記載の通信用回線接続装置。
【発明の詳細な説明】
【技術分野】
【０００１】
この発明は、通信用の中間配線盤等に用いられる通信用回線接続装置に関する。
【背景技術】
【０００２】
通信用の主配線盤（ＭＤＦ：Ｍａｉｎ  Ｄｉｓｔｒｉｂｕｔｉｎｇ  Ｆｒａｍｅ）や中間配線盤（ＩＤＦ：Ｉｎｔｅｒｍｅｄｉａｔｅ  Ｄｉｓｔｒｉｂｕｔｉｏｎ  Ｆｒａｍｅ）等の配線盤により、例えば事業者側の電話機等の通信端末と局側の伝送装置との間が接続されている。この配線盤による接続の様子を図１３に示す。図１３に示すように、局側の伝送装置などの局側装置に接続されている事業者側のＭＤＦ１１０は、通信回線１２０で事業者側のＩＤＦ１３０に接続されている。事業者側の通信端末１４０は、同じようにして、通信回線１５０でＩＤＦ１３０に接続されている。なお、図１３では、事業者側の規模に基づいて、例えば建物の各階毎にＩＤＦ１３０が設置され、ＩＤＦ１３０に対して各通信端末１４０が通信回線で接続されている場合を例としている。
【０００３】
通信回線１２０は、例えば図１４に示すように、通信端末１４０からの音声信号等の信号を送るための２本の送信線１２１、１２２と、通信端末に音声信号等の信号を送るための２本の受信線１２３、１２４と、呼出し信号等の信号を流すための２本の信号線１２５、１２６とを含んでいる。つまり、図１４では１チャンネルの通信回線は合計６本の通信線を含んでいる。以下では、送信線１２１、１２２と受信線１２３、１２４と信号線１２５、１２６とを単に通信線１２１〜１２６と記す。同じように、通信回線１５０は、合計６本の通信線から成り、通信端末１４０からの音声信号等の信号を送るための２本の送信線１５１、１５２と、通信端末に音声信号等の信号を送るための２本の受信線１５３、１５４と、呼出し信号等の信号を流すための２本の信号線１５５、１５６とを含んでいる。以下では、送信線１５１、１５２と受信線１５３、１５４と信号線１５５、１５６とを単に通信線１５１〜１５６と記す。
【０００４】
ＩＤＦ１３０は、通信回線１２０に対して通信回線１５０を接続する。このために、ＩＤＦ１３０は、端子板１３１、１３２を備えている。つまり、端子板１３１の裏面１３１Ａには通信回線１２０が接続され、表面１３１Ｂには、それぞれの通信線１２１〜１２６に接続されているピン端子であるラッピング用端子１３１１〜１３１６が設けられている。ラッピング用端子１３１１〜１３１６は、導体で作られた細長の棒状体であり、図１５に示すように、端子板１３１の表面１３１Ｂに対して直角方向に突き出ている。同じように、端子板１３２の裏面１３２Ａには通信回線１５０が接続され、表面１３２Ｂには、それぞれの通信線１５１〜１５６に接続されているラッピング用端子１３２１〜１３２６が設けられている。
【０００５】
このように、ＩＤＦ１３０は、通信回線１２０と通信回線１５０とを接続して、ＭＤＦ１１０と通信端末１４０との間の通信を可能にする。このために、作業者は、ＩＤＦ１３０の端子板１３１に設けられているラッピング用端子１３１１〜１３１６と、端子板１３２に設けられているラッピング用端子１３２１〜１３２６との間を、ジャンパー線を用いてワイヤラッピングにより接続する。
【０００６】
ジャンパー線の接続に際して、例えば電話回線であれば１回線あたりジャンパー線６本ずつを接続する必要があり、回線構成の都度、専用工具にて構成する。さらに、ジャンパー線接続時は、回線レベルの測定および回線レベルの調整をする。そして、必要により、端局装置の基板を抜いてアッテネータ（減衰器）の調整をする。同一基板内に運用中回線が実装されている場合には回線停止を伴う。
【０００７】
さらに、構成した回線が不要となった場合は、主配線盤や中間配線盤に構成したジャンパー線を撤去する。撤去したジャンパー線は、別の接続に使用としても、各通信線の長さに過不足があり、ほとんどの場合が廃棄される。
【０００８】
こうしたジャンパー線接続を不要にした装置がある（例えば、特許文献１参照。）。この装置では、ワイヤラッピングをされるジャンパー線の代わりに、プラグを用いた接続が行われている。
【先行技術文献】
【特許文献】
【０００９】
【特許文献１】特開平２００９−１１１６７９号公報
【発明の概要】
【発明が解決しようとする課題】
【００１０】
しかし、先に述べた装置には次の課題がある。この装置はプラグにより、配線盤に接続される。しかし、通常、配線盤はワイヤラッピングによるジャンパー線接続を行っている。このために、配線盤のラッピング用端子をソケットに変更する必要がある。つまり、配線盤の構造を大幅に改変する必要がある。
【００１１】
この発明の目的は、前記の課題を解決し、配線盤による回線接続に際して、コネクタの使用を不要にし、配線盤に対する変更を行わなくても回線間の接続を可能にする通信用回線接続装置を提供することにある。
【課題を解決するための手段】
【００１２】
前記の課題を解決するために、請求項１の発明は、一方の通信回線の各通信線が接続されているラッピング用の第１端子が設けられている端子板と、他方の通信回線の各通信線が接続されているラッピング用の第１端子が設けられている端子板とを備える配線盤に対して用いられる通信用回線接続装置であって、一方の前記端子板の第１端子に対して着脱可能に接続される第２端子が各通信線に設けられている第１接続線と、他方の前記端子板の第１端子に対して着脱可能に接続される第２端子が各通信線に設けられている第２接続線と、前記第１接続線の各通信線と前記第２接続線の各通信線とを接続する接続路をそれぞれ備える装置本体と、を備え、前記装置本体は、音信号を含む第１信号を流す通信線の接続路に設けられると共にこの第１信号を減衰する減衰器と、この減衰器が設けられている接続路に設けられ、前記第１信号のレベル測定用の測定器を接続可能にするリンク部と、を備える、ことを特徴とする通信用回線接続装置である。
【００１３】
請求項１の発明による通信用回線接続装置を配線盤に接続する場合、配線盤の端子板の第１端子に対して、第１接続線の第２端子を接続し、端子板の第２端子に対して、第２接続線の第２端子を接続する。この後、リンク部に測定器を接続することにより、接続路の第１信号のレベルを測定することができ、減衰器により第１信号を所定値に減衰することができる。
【００１４】
請求項２の発明は、請求項１に記載の通信用回線接続装置において、前記リンク部は、前記減衰器が設けられている前記接続路に対して着脱可能に設けられ、この着脱によりこの接続路を導通および非導通のどちらか一方の状態にする、ことを特徴とする。
【００１５】
請求項３の発明は、請求項１または２に記載の通信用回線接続装置において、前記装置本体は、呼出し信号を含む第２信号を流す通信線の接続路に対して着脱可能に設けられ、この着脱によりこの接続路を導通および非導通のどちらか一方の状態にするテストプラグ部を、備えることを特徴とする。
【００１６】
請求項４の発明は、請求項１〜３のいずれか１項に記載の通信用回線接続装置において、前記装置本体は、前記第１接続線を収納して第１接続線の露出する長さを調節するための第１収納部と、前記第２接続線を収納して第２接続線の露出する長さを調節するための第２収納部との少なくとも一方を備える、ことを特徴とする。
【発明の効果】
【００１７】
請求項１の発明によれば、接続路を流れる音信号を含む第１信号を減衰する減衰器と、この接続路を流れる第１信号のレベル測定用の測定器を接続可能にするリンク部とを備えるので、通信回線の通信線を流れる第１信号のレベルを測定しながら、減衰器によりレベルを調整することを可能にする。また、この発明によれば、端子板の端子に対して着脱可能に接続される端子が各通信線に設けられているので、従来のように配線盤の改変を行うことを不要にすることができる。
【００１８】
請求項２の発明によれば、リンク部が接続路を導通および非導通のどちらか一方の状態にするので、このリンク部を着脱することにより、第１信号の伝達状態をから、第１接続線や第２接続線の第１信号を流すための通信線が正常に接続されているかどうかを調べることを可能にする。
【００１９】
請求項３の発明によれば、テストプラグ部が接続路を導通および非導通のどちらか一方の状態にするので、このテストプラグ部を着脱することにより、第２信号の伝達状態をから、第１接続線や第２接続線の第２信号を流すための通信線が正常に接続されているかどうかを調べることを可能にする。
【００２０】
請求項４の発明によれば、第１接続線や第２接続線の露出する長さを調節するので、別の通信回線の接続に利用することを可能にする。
【図面の簡単な説明】
【００２１】
【図１】この発明の実施の形態１による通信用回線接続装置を示す斜視図である。
【図２】接続線を示す断面図である。
【図３】図２のＩ−Ｉ断面を示す断面図である。
【図４】巻取り具を示す斜視図である。
【図５】本体での接続の様子を示す図である。
【図６】アッテネータの接続の様子を示す図である。
【図７】Ｕリンクが接続される基板を示す図である。
【図８】Ｕリンクを平面、正面、側面および底面で示す図である。
【図９】テストプラグが接続される基板を示す図である。
【図１０】テストプラグを平面、正面、側面および底面で示す図である。
【図１１】色分けをされた装置本体の一例を示す斜視図である。
【図１２】この発明の実施の形態２による通信用回線接続装置を示す斜視図である。
【図１３】配線盤を用いた接続の様子を示す図である。
【図１４】通信回線の接続を説明する説明図である。
【図１５】ラッピング用端子を説明する斜視図である。
【発明を実施するための形態】
【００２２】
次に、この発明の各実施の形態について、図面を用いて詳しく説明する。
【００２３】
（実施の形態１）
この実施の形態による通信用回線接続装置について、音声通信用の中間配線盤に用いる場合を例として説明する。この通信用回線接続装置を図１に示す。なお、この実施の形態では、先に説明した図１３、図１４および図１５と同一もしくは同一と見なされる構成要素には、それと同じ参照符号を付けて、その説明を省略する。図１の通信用回線接続装置は、音声通信の１チャンネルの通信回線用であり、装置本体１０と、アジャスタ２０、３０と、接続線４０、５０とを備えている。
【００２４】
接続線４０は、通信回線４１とソケット端子４２Ａ〜４２Ｆとを備えている。
【００２５】
通信回線４１は、この実施の形態では６本の通信線４１Ａ〜４１Ｆから成る。つまり、通信回線４１は通信線４１Ａ〜４１Ｆを束ねたものである。通信回線４１の一方の端部は、アジャスタ２０を介在して装置本体１０に接続されている。通信回線４１の他方の端部つまり通信線４１Ａ〜４１Ｆの先端には、ソケット端子４２Ａ〜４２Ｆが接続されている。
【００２６】
ソケット端子４２Ａは金属製であり、図２に示すように、先に述べたＩＤＦ１３０に設けられているピン端子であるラッピング用端子１３１１〜１３１６、例えばラッピング用端子１３１１に差し込みが可能な円筒形状をしている。さらに、ソケット端子４２Ａには、図３に示すように、長手方向に切込み４２Ａ１が設けられている。そして、ラッピング用端子１３１１がソケット端子４２Ａに差し込まれると、切込み４２Ａ１が広がるが、ソケット端子４２Ａの弾性力により、広がり方向とは逆方向にソケット端子４２Ａがラッピング用端子１３１１を締め付けることになる。これにより、ソケット端子４２Ａがラッピング用端子１３１１から外れることを防いでいる。
【００２７】
ソケット端子４２Ｂ〜４２Ｆは、ソケット端子４２Ａと同様であるので、これらの説明を省略する。
【００２８】
接続線５０は、通信線５１Ａ〜５１Ｆから成る通信回線５１と、ソケット端子５２Ａ〜５２Ｆとを備えている。こうした接続線５０は、接続線４０と同じであるので、この説明を省略する。
【００２９】
さらに、この実施の形態では、通信回線４１、５１を次のようにしている。例えば、
通信線４１Ａ・・・白色
通信線４１Ｂ・・・赤色
通信線４１Ｃ・・・黒色
通信線４１Ｄ・・・緑色
通信線４１Ｅ・・・水色
通信線４１Ｆ・・・橙色
のように、通信線４１Ａ〜４１Ｆが色分けをされている。同様にして、通信回線５１の通信線５１Ａ〜５１Ｆは、通信回線４１の通信線４１Ａ〜４１Ｆにそれぞれ対応しているので、
通信線５１Ａ・・・白色
通信線５１Ｂ・・・赤色
通信線５１Ｃ・・・黒色
通信線５１Ｄ・・・緑色
通信線５１Ｅ・・・水色
通信線５１Ｆ・・・橙色
のように色分けをされている。こうした色分けにより、通信線４１Ａ〜４１Ｆ、５１Ａ〜５１Ｆの接続先を視認可能にしている。
【００３０】
アジャスタ２０は、通信回線４１の少なくとも一部を収納する。つまり、アジャスタ２０は、外部に出ている通信回線４１の長さＡを調節するものである。アジャスタ２０の一番簡便な構造は、収納本体２１と、図４に示すような巻取り具２２を備えるものである。収納本体２１は箱状のものであり、その内部に楕円形をした巻取り具２２を収納している。さらに、収納本体２１の端面たとえば端面２１Ａが開閉可能になっている。巻取り具２２は、通信回線４１を巻き取り、また解くことにより、外部に出ている通信回線４１の長さＡを調整する。
【００３１】
アジャスタ３０は、接続線５０の通信回線５１の長さＢを調節するものであり、アジャスタ２０と同じであるので、その説明を省略する。
【００３２】
装置本体１０は箱状体であり、一方の端面にアジャスタ２０が設けられ、この一方の端面と対向する他方の端面にアジャスタ３０が設けられている。装置本体１０は、内部に基板１０１を収納している。基板１０１には、アッテネータ１１、１２と、Ｕリンク１３、１４と、テストプラグ１５、１６とが着脱可能に設けられている。これらのアッテネータ１１〜テストプラグ１６は、図５に示すように、基板１０１の配線で電気的に接続されている。
【００３３】
具体的には、基板１０１により、通信線４１Ａ、４１Ｂと通信線５１Ａ、５１Ｂとの間が接続路１０１Ａ、１０１Ｂによりそれぞれ電気的に接続されている。接続路１０１Ａ、１０１Ｂは、基板１０１上に形成された、信号を流すためのパターンである。接続路１０１Ａ、１０１Ｂには、アッテネータ１１とＵリンク１３とが着脱可能に接続されている。また、通信線４１Ｃ、４１Ｄと通信線５１Ｃ、５１Ｄとの間が接続路１０１Ｃ、１０１Ｄによりそれぞれ電気的に接続されている。接続路１０１Ｃ、１０１Ｄには、アッテネータ１２とＵリンク１４とが着脱可能に接続されている。さらに、通信線４１Ｅ、４１Ｆと通信線５１Ｅ、５１Ｆとの間が接続路１０１Ｅ、１０１Ｆによりそれぞれ電気的に接続されている。接続路１０１Ｅ、１０１Ｆには、テストプラグ１５、１６がそれぞれ着脱可能に接続されている。
【００３４】
アッテネータ１１は、通信線４１Ａ、４１Ｂと通信線５１Ａ、５１Ｂとの間、つまり接続路１０１Ａ、１０１Ｂを流れる音声信号等の信号のレベルを調整するためのものである。この実施の形態では、アッテネータ１１は、図６に示すように、減衰部１１Ａ〜１１Ｄとスイッチ１１Ｅ〜１１Ｈとを備えている。スイッチ１１Ｅ〜１１Ｈは、オン・オフスイッチであり、接続路１０１Ａ、１０１Ｂを伝送する音声信号等の信号をそのまま通すか、または、減衰部１１Ａ〜１１Ｄで減衰するかを切り替えるためのものである。スイッチ１１Ｅ〜１１Ｈのツマミ部分は、作業者による操作が可能なように、装置本体１０（図１）の外側に設けられている。減衰部１１Ａ〜１１Ｄは、抵抗素子などを組み合わせた回路構成である。減衰部１１Ａ〜１１Ｄは、直列に接続されて、接続路１０１Ａ、１０１Ｂに挿入されている。減衰部１１Ａ〜１１Ｄによる減衰量は、例えば、
１：２：４：８
のように設定されていて、スイッチ１１Ｅ〜１１Ｈによる切り替えにより、減衰量を連続的に切り替えるようにしている。
【００３５】
通信線４１Ｃ、４１Ｄと通信線５１Ｃ、５１Ｄとの間を接続する接続路１０１Ｃ、１０１Ｄに挿入されているアッテネータ１２は、アッテネータ１１と同じであるので、この説明を省略する。
【００３６】
Ｕリンク１３は、基板１０１の接続路１０１Ａ、１０１Ｂを伝送する音声信号等の信号の通過を阻止するか、または、接続路１０１Ａ、１０１Ｂの音声信号等の信号を通し、かつ、接続路１０１Ａ、１０１Ｂを流れる音声信号等の信号のレベルを測定可能にする。この実施の形態では、図７に示すように、接続路１０１Ａ、１０１Ｂを切り離してＵリンク１３の接続位置にする。接続路１０１Ａ、１０１Ｂの接続位置、つまり接続路１０１Ａ、１０１Ｂの切離し位置には、Ｕリンク１３の後述する差込み片を差し込むための差込み口１０１１Ａ、１０１１Ｂと、これらの差込み口１０１１Ａ、１０１１Ｂに向かい合うように差込み口１０１２Ａ、１０１２Ｂとが設けられている。
【００３７】
Ｕリンク１３は、図８に示すように、箱形状の収納体１３Ａを備えている。収納体１３Ａの内部には、接続路１０１Ａの差込み口１０１１Ａ、１０１２Ａと向かい合うように、コ字状の接続具１３Ｂが設けられている。接続具１３Ｂは、差込み口１０１１Ａ、１０１２Ａに差し込まれる金属片である差込み片１３Ｂ１、１３Ｂ２を備えている。さらに、接続具１３Ｂは、差込み片１３Ｂ１と差込み片１３Ｂ２との間を電気的に接続する金属片である接続片１３Ｂ３を備えている。さらに、接続片１３Ｂ３には受け具１３Ｂ４が設けられている。受け具１３Ｂ４は、音声信号等の信号のレベル等を測定する測定器を接続可能にする。このために、受け具１３Ｂ４は差込み口（図示を省略）を備え、差込み口は収納体１３Ａの表面に開口１３Ｂ４１を形成している。
【００３８】
同じようにして、収納体１３Ａの内部には、基板１０１の接続路１０１Ｂの差込み口１０１１Ｂ、１０１２Ｂと向かい合うように、コ字状の接続具１３Ｃが設けられている。接続具１３Ｃは、差込み口１０１１Ｂ、１０１２Ｂに差し込まれる金属片である差込み片１３Ｃ１、１３Ｃ２を備えている。また、接続具１３Ｃは、差込み片１３Ｃ１と差込み片１３Ｃ２との間を電気的に接続する金属片である接続片１３Ｃ３を備えている。さらに、接続片１３Ｃ３には受け具１３Ｃ４が設けられている。受け具１３Ｃ４の差込み口は、収納体１３Ａの表面に開口１３Ｃ４１を形成している。
【００３９】
こうした構成のＵリンク１３は、装置本体１０の基板１０１に対して着脱自在である。Ｕリンク１３の接続具１３Ｂ、１３Ｃの差込み片１３Ｂ１、１３Ｂ２および差込み片１３Ｃ１、１３Ｃ２が、基板１０１の接続路１０１Ａの差込み口１０１１Ａ、１０１２Ａおよび差込み口１０１１Ｂ、１０１２Ｂに差し込まれると、Ｕリンク１３は、差込み口１０１１Ａと差込み口１０１２Ａとの間、および差込み口１０１１Ｂと差込み口１０１２Ｂとの間を電気的に接続する。同時に、Ｕリンク１３の受け具１３Ｂ４、１３Ｃ４に対して測定器が接続可能である。これにより、接続路１０１Ａ、１０１Ｂを流れる音声信号等の信号のレベルなどが測定可能になる。つまり、装置本体１０に対してＵリンク１３が差し込まれると、接続路１０１Ａ、１０１Ｂを導通の状態にすると共に測定器を接続可能にする。また、Ｕリンク１３が引き抜かれると、接続路１０１Ａ、１０１Ｂが非導通の状態になる。
【００４０】
Ｕリンク１４は、通信線４１Ｃ、４１Ｄと通信線５１Ｃ、５１Ｄとの間つまり接続路１０１Ｃ、１０１Ｄを非導通の状態にして音声信号等の信号の通過を阻止するか、または、接続路１０１Ｃ、１０１Ｄを導通の状態にして音声信号等の信号のレベルを測定可能にする。こうしたＵリンク１４は、Ｕリンク１３と同じであるので、この説明を省略する。
【００４１】
通信線４１Ｅ、４１Ｆと通信線５１Ｅ、５１Ｆとの間は接続路１０１Ｅ、１０１Ｆによりそれぞれ電気的に接続され、接続路１０１Ｅ、１０１Ｆには、テストプラグ１５、１６が接続されている。
【００４２】
テストプラグ１５は、通信線４１Ｅを伝送する呼出し信号や応答信号等の信号の通過を阻止する場合に用いられる。この実施の形態では、図９に示すように、基板１０１の接続路１０１Ｅを切り離してテストプラグ１５の接続位置にする。接続路１０１Ｅの接続位置、つまり接続路１０１Ｅの切離し位置には、テストプラグ１５の後述する差込み片を差し込むための差込み口１０１１Ｅと、この差込み口１０１１Ｅに向かい合うように差込み口１０１２Ｅとが設けられている。
【００４３】
テストプラグ１５は、図１０に示すように、箱形状の収納体１５Ａを備えている。収納体１５Ａの内部には、基板１０１の接続路１０１Ｅの差込み口１０１１Ｅ、１０１２Ｅと向かい合うように、コ字状の接続具１５Ｂが設けられている。接続具１５Ｂは、差込み口１０１１Ｅ、１０１２Ｅに差し込まれる金属片である差込み片１５Ｂ１、１５Ｂ２を備えている。また、接続具１５Ｂは、差込み片１５Ｂ１と差込み片１５Ｂ２との間を電気的に接続する金属片である接続片１５Ｂ３を備えている。
【００４４】
こうした構成のテストプラグ１５は、装置本体１０の基板１０１に対して着脱自在である。テストプラグ１５の接続具１５Ｂの差込み片１５Ｂ１、１５Ｂ２が接続路１０１Ｅの差込み口１０１１Ｅ、１０１２Ｅに差し込まれると、テストプラグ１５は、差込み口１０１１Ｅと差込み口１０１２Ｅとの間を電気的に接続する。つまり、装置本体１０に対してテストプラグ１５が差し込まれると、接続路１０１Ｅを導通の状態にする。また、テストプラグ１５が引き抜かれると、接続路１０１Ｅが非導通の状態になる。
【００４５】
テストプラグ１６は、通信線４１Ｆと通信線５１Ｆとの間、つまり接続路１０１Ｆを導通または非導通の状態にする。こうしたテストプラグ１６は、テストプラグ１５と同じであるので、この説明を省略する。
【００４６】
以上が装置本体１０の基本的な構成である。この実施の形態では、さらに装置本体１０を次のようにしている。Ｕリンク１３が装着される基板１０１の差込み口１０１１Ａ、１０１２Ａは、通信回線４１の通信線４１Ａおよび通信線５１Ａに対応し、差込み口１０１１Ｂ、１０１２Ｂは、通信線４１Ｂおよび通信線５１Ｂに対応している。この関係を視覚的に示すために、
差込み口１０１１Ａ、１０１２Ａ・・・白色・赤色
差込み口１０１１Ｂ、１０１２Ｂ・・・白色・赤色
のように着色して色分けをしている。同じようにして、Ｕリンク１４が装着される基板１０１の差込み口を黒色・緑色に着色して色分けをしている。
【００４７】
さらに、テストプラグ１５が装着される基板１０１の差込み口１０１１Ｅ、１０１２Ｅは通信回線４１の通信線４１Ｅおよび通信線５１Ｅに対応している。この関係を視覚的に示すために、
差込み口１０１１Ｅ、１０１２Ｅ・・・水色
のように着色して色分けをしている。同じようにして、テストプラグ１６が装着される基板１０１の差込み口を橙色に着色して色分けをしている。
【００４８】
このようにＵリンク１３、１４とテストプラグ１５、１６の各差込み口の色分けをすることにより、各差込み口に流れる信号を視認可能にしている。
【００４９】
さらに、この実施の形態では、図１１に示すように、装置本体１０の表面１０２０に対して、アッテネータ１１およびＵリンク１３の下部面を通過するように、２本のライン１０２１、１０２２が印刷されている。同じように、装置本体１０の表面１０２０に対して、アッテネータ１２およびＵリンク１４の下部面を通過するように、２本のライン１０２３、１０２４が印刷され、テストプラグ１５、１６の下部面を通過するように、２本のライン１０２５、１０２６が印刷されている。
【００５０】
装置本体１０の表面１０２０のライン１０２１、１０２２は、基板１０１に形成されている接続路１０１Ａ、１０１Ｂに対応して印刷されたものである。また、ライン１０２３、１０２４は、基板１０１に形成されている接続路１０１Ｃ、１０１Ｄに対応して印刷されたものであり、ライン１０２５、１０２６は、基板１０１に形成されている接続路１０１Ｅ、１０１Ｆに対応して印刷されたものである。そして、接続路１０１Ａ〜１０１Ｆに対応するライン１０２１〜１０２６は、通信回線４１の通信線４１Ａ〜４１Ｆおよび通信回線５１の通信線５１Ａ〜５１Ｆに対応している。この関係を視覚的に示すために、ライン１０２１〜１０２６は、
ライン１０２１・・・白色
ライン１０２２・・・赤色
ライン１０２３・・・黒色
ライン１０２４・・・緑色
ライン１０２５・・・水色
ライン１０２６・・・橙色
のように色分けをされている。こうしたライン１０２１〜１０２６により、例えばアッテネータ１１およびＵリンク１３に流れる信号、アッテネータ１２およびＵリンク１４に流れる信号、テストプラグ１５、１６に流れる信号を視認可能にしている。
【００５１】
次に、この実施の形態による通信用回線接続装置の作用について説明する。この通信用回線接続装置を音声通信用の中間配線盤に設置する場合、中間配線盤の正面に設けられているラッピング用端子であって、接続対象の通信回線をつなぐためのラッピング用端子に、通信用回線接続装置の通信回線４１のソケット端子４２Ａ〜４２Ｆと、通信回線５１のソケット端子５２Ａ〜５２Ｆとを作業者が差し込む。これにより、作業者が中間配線盤に通信用回線接続装置を接続することができる。つまり、通信用回線接続装置はジャンパー線として機能する。
【００５２】
この後、作業者は、通信回線４１の長さＡをアジャスタ２０で調節し、通信回線５１の長さＢをアジャスタ３０で調節する。つまり、通信用回線接続装置はジャンパー線の長さ調整の機能を持つ。
【００５３】
通信線４１Ａ、４１Ｂから通信線５１Ａ、５１Ｂに流れる信号の回線レベルの測定を行う場合には、レベルを測定するための測定器の端子を、Ｕリンク１３の開口１３Ｂ４１、１３Ｃ４１に作業者が差し込む。これにより、通信線４１Ａ、４１Ｂと通信線５１Ａ、５１Ｂとの間を接続する接続線１０１Ａと接続線１０１Ｂとの間に測定器が接続される。この後、作業者は接続された測定器により、回線レベルの測定を行う。レベルを調整する場合には、作業者は、アッテネータ１１のスイッチ１１Ｅ〜１１Ｈをオン・オフして、回線レベルを所定値にする。
【００５４】
同じようにして、通信線５１Ｃ、５１Ｄから通信線４１Ｃ、４１Ｄに流れる信号の回線レベルの測定と調整とを、Ｕリンク１４とアッテネータ１２とを利用して行うことができる。
【００５５】
また、通信用回線接続装置による接続の状態などをチェックするときがある。このときには、Ｕリンク１３、１４やテストプラグ１５、１６を装置本体１０から作業者が引き抜くことにより、回線を非導通の状態にすることができる。これにより、所定の信号が断続するので、信号が正常に受け渡しをされているかどうか、つまり、通信回線４１や通信回線５１が正常に接続されているかどうかを調べることができる。
【００５６】
さらに、通信用回線接続装置を撤去する場合には、中間配線盤のラッピング用端子から、通信用回線接続装置の通信回線４１のソケット端子４２Ａ〜４２Ｆと、通信回線５１のソケット端子５２Ａ〜５２Ｆとを作業者が外す。これにより、ジャンパー線の撤去と同じように、通信用回線接続装置による接続を解除することができる。しかも、通信用回線接続装置には、アジャスタ２０、３０が設けられている。これにより、通信回線４１の長さＡや通信回線５１の長さＢを変えることができるので、別の通信回線を接続する場合に、通信用回線接続装置を再利用することが可能である。
【００５７】
こうして、この実施の形態によれば、従来のようなコネクタの使用を不要にしている。また、Ｕリンク１３、１４が着脱可能であるので、音声信号等の信号を伝送するための接続線の接続が正常であるかをチェック可能にする。さらに、この実施の形態によれば、テストプラグ１５、１６が着脱可能であるので、呼出し信号等の信号を伝送するための接続線の接続が正常であるかをチェック可能にする。
【００５８】
また、この実施の形態により、次の効果を達成することができる。
ａ．通信回線４１や通信回線５１の被覆剥き器や電動ラッパー等の工具を不要にすることができる。
ｂ.通信回線４１のソケット端子４２Ａ〜４２Ｆや通信回線５１のソケット端子５２Ａ〜５２Ｆを用いるので、ワイヤラッピング作業のような作業スキルが不要で、誰でも簡単に回線構成できる。
ｃ.中間配線盤に対する作業時間を大幅に短縮できる。
改善前：被覆剥き１２回、接続１２回（３〜１０分）
改善後：ピン接続１２回          （１分以内）
ｄ．アジャスタ２０、３０（ケーブル長アジャスタ）により、通信回線４１、５１の長さ調整が可能である。
ｅ．通信用回線接続装置に実装するアッテネータ１１、１２（可変アッテネータ）で回線レベル調整が可能である。
ｆ．端局の同一基板に実装される隣接回線の停止が不要である。
ｇ．通信用回線接続装置に実装するＵリンク１３、１４で回線レベル測定や信号試験が可能である。
ｈ．アッテネータ１１、１２とＵリンク１３、１４とを実装しているので、回線を構成したままレベル調整が可能である。
ｉ．接続路１０１Ａ〜１０１Ｆの差込み口１０１１Ａ、１０１１Ｂや、装置本体１０の表面１０２０に対して、信号に基づく色分けをしているため、測定間違いや接続間違いが起こりにくい。
ｊ．回線撤去時は、配線盤から通信用回線接続装置を撤去して再利用できる。
ｋ．ソケット端子４２Ａ〜４２Ｆ、ソケット端子５２Ａ〜５２Ｆによるピン接続なので、運用中のケーブルと間違えない。
【００５９】
（実施の形態２）
この実施の形態による通信用回線接続装置を図１２に示す。なお、この実施の形態では、先に説明した実施の形態１による通信用回線接続装置と同一もしくは同一と見なされる構成要素には、それと同じ参照符号を付けて、その説明を省略する。図１２の通信用回線接続装置では、実施の形態１によるアジャスタ２０、３０を、装置本体１０に対して外付けにしている。図１２では、図面の都合上、アジャスタ３０の図示を省略している。
【００６０】
実施の形態２によるアジャスタ２０は、円筒形状の収納本体２１の内部に、通信回線４１を巻き取るための巻取り器（図示を省略）を収納している。なお、巻取り器としては、手動で通信回線４１を巻き取るものや、バネのような弾性力を利用して通信回線４１を巻き取るものなど、各種のものがある。
【００６１】
こうした実施の形態２により、アジャスタ２０、３０を外付けにしたので、装置本体１０を小型にすることができ、また、アジャスタ２０の置き場所の選択範囲を広げることができる。
【符号の説明】
【００６２】
１０  装置本体
１０１  基板
１０１Ａ〜１０１Ｆ  接続路
１１、１２  減衰器
１３、１４  Ｕリンク（リンク部）
２０、３０  アジャスタ
４０  接続線（第１接続線）
５０  接続線（第２接続線）
４１、５１  通信回線
４１Ａ〜４１Ｆ、５１Ａ〜５１Ｆ  通信線
４２Ａ〜４２Ｆ、５２Ａ〜５２Ｆ  ソケット端子（第２端子）
１３０  ＩＤＦ（配線盤）
１３１、１３２  端子板
１３１１〜１３１６、１３２１〜１３２６  ラッピング用端子（第１端子）
【図１】
0006497230.tif 000002
【図２】
0006497230.tif 000003
【図３】
0006497230.tif 000004
【図４】
0006497230.tif 000005
【図５】
0006497230.tif 000006
【図６】
0006497230.tif 000007
【図７】
0006497230.tif 000008
【図８】
0006497230.tif 000009
【図９】
0006497230.tif 000010
【図１０】
0006497230.tif 000011
【図１１】
0006497230.tif 000012
【図１２】
0006497230.tif 000013
【図１３】
0006497230.tif 000014
【図１４】
0006497230.tif 000015
【図１５】
0006497230.tif 000016